(57)【要約】  【課題】  支柱と縦材を近接して設置する場合であっても、確実な締結を実現できるフエンス締結具を提供する。  【解決手段】  締結バンド２は支柱５０に当接する支柱締結部２０を有し、支柱締結部２０に連続してフエンス体５２の縦材５１を挟持する１対の延出部２１、２１を備え、延出部２１、２１には夫々座面１０、１０が当接し、座面１０に設けられたボルト孔１１にボルトを通して締結バンド２を締め付けて、支柱５０と縦材５１とを締結する。座面１０、１０は連結部１２，１２より連結され、連結部１２と１２の間に上下方向にスペーサ部１３が設けられ、延出部２１、２１の間にスペーサとして介装され、延出部２１と延出部２１がテーパ状になることがなく、支柱５０と縦材５１の締結を確実に行う。【選択図】  図１
2006299739.tif 000002
【特許請求の範囲】
【請求項１】
支柱とフエンス本体とを締結するフエンス締結具であって、
支柱に締結される支柱締結部と、フエンス本体の縦材を表裏から挟持する一対の延出部と、を備えた締結バンドと、
該１対の延出部の夫々に当接する１対の座面を有するボルト・ナット用の座金と、
前記１対の座面を上端部と下端部において連結し、前記延出部の上端の上側と下端の下側に位置する１対の連結部と、
該１対の連結部間に上下方向に配設され、前記１対の延出部間に挟まれるスペーサ部と、
を備えたことを特徴とするフエンス締結具。
【発明の詳細な説明】
【技術分野】
【０００１】
本発明は、フエンス本体と支柱とを締結するフエンス締結具に関する。
【背景技術】
【０００２】
フエンスは、フエンス体と支柱から構成されるが、フエンス体と支柱とを締結するためにフエンス締結具が使用される。
フエンス締結具には種々のものがあるが、格子フエンスなどの縦材を有するフエンス体を締結する場合、締結バンドが使用される場合が多い。
図６と図７に事例を示す。支柱５０に締結バンド２を巻きかけ、延出部２１、２１でフエンス体５２の縦材５１を挟持して、座金１を延出部２１の表裏に当てて、ボルト・ナットにより締結して支柱５０とフエンス体５２とを連結する構成になっている。
【発明の開示】
【発明が解決しようとする課題】
【０００３】
しかし、上記構成の場合、支柱５０と縦材５１の間隔が狭いと、図８に示すように延出部２１、２１の先端が接触し、図示するように延出部２１、２１がテーパ状になり、矢印方向にすべりが生じて、十分な締結ができない問題があった。縦材５１をボルト・ナット１９の外側にもってくれば、上記問題は解決するが、取り付けの条件により図８に示すように、縦材５１を支柱５０に近接して設置しなければならない場合もあり、上記問題の解決が望まれていた。
本発明は上記問題を解決することを目的とする。
【課題を解決するための手段】
【０００４】
上記問題を解決するために、本発明は、支柱とフエンス本体とを締結するフエンス締結具であって、支柱に締結される支柱締結部と、フエンス本体の縦材を表裏から挟持する一対の延出部と、を備えた締結バンドと、該１対の延出部の夫々に当接する１対の座面を有するボルト・ナット用の座金と、前記１対の座面を上端部と下端部において連結し、前記延出部の上端の上側と下端の下側に位置する１対の連結部と、該１対の連結部間に上下方向に配設され、前記１対の延出部間に挟まれるスペーサ部と、を備えたことを特徴とする。
【発明の効果】
【０００５】
上記構成においては、スペーサ部により締結バンドの延出部がテーパ状になることを防止するから、支柱と縦材を近接して設置する場合であっても、確実な締結を実現できる。
【発明を実施するための最良の形態】
【０００６】
以下本発明の実施の形態を図面に基づいて説明する
本発明の締結具は、図６に示すように支柱５０の片側にフエンス体５２を設ける場合、図７に示すように支柱５０の両側にフエンス体５２、５２を設ける場合の両方に適用可能であるが、図１乃至図５の説明では、支柱５０の片側にフエンス体５２を設ける場合の構成についてのみ説明し、両側に設ける場合の説明は省略する。
【０００７】
図１において、締結バンド２は支柱５０に当接する支柱締結部２０を有し、支柱締結部２０に連続してフエンス体５２の縦材５１を挟持する１対の延出部２１、２１を備えている。この実施形態では、締結バンド２は線材を折り曲げて作られている。
【０００８】
延出部２１、２１には夫々座面１０、１０が当接し、座面１０、１０に設けられたボルト孔１１にボルトを通して締結バンド２を締め付けて、支柱５０と縦材５１とを締結するように構成されている。
【０００９】
座面１０、１０は連結部１２，１２より連結され、一体の座金１になっている。即ち座金１は図１と図３に示すように、座面１０、１０の上端と下端において連結部１２、１２より連結され、一体化されている。連結部１２、１２は図１と図２に示すように延出部２１の上側と下側に夫々位置するようになっている。
【００１０】
連結部１２は図５に示すように、ほぼＶ字状に折り曲げられており、座金１は平面形状としては略Ｕ字形状を形成している。
【００１１】
上端の連結部１２と下端の連結部１２の前記Ｖ字形状の頂点近傍を連結するように、上下方向にスペーサ部１３が設けられている。このスペーサ部１３もまたＶ字形状に曲げられており、図４に示すように横方向に所定の幅Ｗを有している。
【００１２】
上記、連結部１２、１２とスペーサ部１３とにより、座金１には貫通孔１４、１４が対称的に形成され、ここに延出部２１、２１の先端部分が貫通し、図２に示すようにスペーサ部１３は延出部２１、２１の間にスペーサとして介装されるようになっている。
【００１３】
以上の構成において、支柱５０と縦材５１が近い場合でも、図２の状態で、ボルト孔１１を介してボルト・ナット１９により締結すれば、スペーサ部１３が延出部２１、２１間に介在して、スペーサ部１３の幅Ｗ以上には延出部２１と延出部２１の先端部は近接しないから、図８に示すようにテーパ状になることがなく、縦材５１の締結は確実に行われる。そのため、支柱５０とフエンス体５２の確実な連結が可能になる。
【００１４】
なお、本発明を図７に示す構造に適用する場合、締結バンド２には両側に延出部２１，２１が設けられ、支柱締結部２０、２０が支柱５０の夫々片面に当接する構成となる。その他は、上記と同じである。
【図面の簡単な説明】
【００１５】
【図１】本発明の一実施形態を示す斜視図。
【図２】本発明の一実施形態を示す平面図。
【図３】本発明の一実施形態の座金１の構造を示す正面図。
【図４】本発明の一実施形態の座金１の構造を示す側面図。
【図５】本発明の一実施形態の座金１の構造を示す平面図。
【図６】本発明の一実施形態の使用状態の説明図。
【図７】本発明の他の実施形態の使用状態の説明図。
【図８】従来のフエンス締結具の一例を示す平面図。
【符号の説明】
【００１６】
１：座金、２：締結バンド、１０：座面、１１：ボルト孔、１２：連結部、１３：スペーサ部、１４：貫通孔、１９：ボルト・ナット、２０：支柱締結部、２１：延出部、５０：支柱、５１：縦材、５２：フエンス体、５５：座金。
【図１】
2006299739.tif 000003
【図２】
2006299739.tif 000004
【図３】
2006299739.tif 000005
【図４】
2006299739.tif 000006
【図５】
2006299739.tif 000007
【図６】
2006299739.tif 000008
【図７】
2006299739.tif 000009
【図８】
2006299739.tif 000010